(57)【要約】【解決手段】トンネル１内に設置した型枠とトンネル１の内周壁面１ａとの間に設けたコンクリート打設室３内に型枠の開口から進入させて配設したガイド４に沿ってコンクリート締固め用バイブレータ１０をコンクリート打設室３外から前進向きＸＦへ挿入した後、コンクリート打設室３内にコンクリートＣを充填する。次に、コンクリート締固め用バイブレータ１０をコンクリート打設室３内からコンクリート打設室３外へコンクリート打設室３内のガイド４に沿って後退向きＸＢへ引き出した後、コンクリート打設室３内でコンクリートＣ内に残ったガイド４を型枠の開口まで退避させてその開口をそのガイド４により閉塞する。【効果】コンクリート打設室３内に配設したガイド４を次工程でも繰り返し利用するとともに、そのガイド４をコンクリート打設室３に対する蓋としても兼用してコンクリート打設室３内からのコンクリート漏れを防止することができる。【選択図】図１
2006336258.tif 000002
【特許請求の範囲】
【請求項１】
コンクリート締固め用バイブレータをコンクリート打設室外からコンクリート打設室内にガイドに沿って前進向きへ挿入するとともに、コンクリート締固め用バイブレータをコンクリート打設室内からコンクリート打設室外へガイドに沿って後退向きへ引き出すコンクリート締固め用バイブレータシステムにおいて、このコンクリート打設室内に配設したガイドは、コンクリート打設室内に開口から進入してコンクリート締固め用バイブレータを案内し得る進入状態と、コンクリート打設室内から開口まで退避してその開口を閉塞する退避状態とを取り得ることを特徴とするコンクリート締固め用バイブレータシステム。
【請求項２】
トンネルの内周壁面との間でコンクリート打設室を設けるトンネルにおける覆工コンクリート用型枠において、コンクリート打設室内に開口から進入してコンクリート締固め用バイブレータを案内し得る進入状態と、コンクリート打設室内から開口まで退避してその開口を閉塞する退避状態とを取り得るガイドを備えたことを特徴とするトンネルにおける覆工コンクリート用型枠。
【請求項３】
トンネル内に設置した型枠とトンネルの内周壁面との間に設けたコンクリート打設室内に型枠の開口から進入させて配設したガイドに沿ってコンクリート締固め用バイブレータをコンクリート打設室外から前進向きへ挿入した後、このコンクリート打設室内の全部または一部にコンクリートを充填し、
次に、コンクリート締固め用バイブレータをコンクリート打設室内からコンクリート打設室外へ前記コンクリート打設室内のガイドに沿って後退向きへ引き出した後、コンクリート打設室内でコンクリート内に残ったガイドを型枠の開口まで退避させてその開口をそのガイドにより閉塞する
ことを特徴とするトンネルにおける覆工コンクリート締固め方法。
【発明の詳細な説明】
【技術分野】
【０００１】
本発明は、特にトンネルにおける覆工コンクリートの品質を高めるためにその覆工コンクリートを締固めるためのバイブレータシステム、そのバイブレータシステムで利用する覆工コンクリート用型枠、そのバイブレータシステムを利用したトンネルにおける覆工コンクリート締固め方法に関するものである。
【背景技術】
【０００２】
従来、この種のバイブレータシステムにおいては、コンクリート打設室内でトンネルの長手方向に沿って並設された各ガイドによりバイブレータが案内されながらコンクリート打設室内をトンネルの長手方向に沿って移動する。
【発明の開示】
【発明が解決しようとする課題】
【０００３】
しかし、前記各ガイドはコンクリート打設室内にコンクリートを注入した後も覆工コンクリート内に埋められたまま放置されるので、ガイドの必要個数が多大なものとなり、覆工コンクリート用型枠のコストが上がる原因になっていた。
【０００４】
この発明は、コンクリート打設室内でバイブレータを案内するガイドの反復利用を可能としてコストの低減を図ることを目的としている。
【課題を解決するための手段】
【０００５】
後記実施形態の図面（図１〜４）の符号を援用して本発明を説明する。
請求項１の発明にかかるコンクリート締固め用バイブレータシステムは下記のように構成されている。
【０００６】
このコンクリート締固め用バイブレータシステムにおいては、コンクリート締固め用バイブレータ１０をコンクリート打設室３外からコンクリート打設室３内にガイド４，７，９に沿って前進向きＸＦへ挿入するとともに、コンクリート締固め用バイブレータ１０をコンクリート打設室３内からコンクリート打設室３外へガイド４，７，９に沿って後退向きＸＢへ引き出す。このコンクリート打設室３内に配設したガイド４は、コンクリート打設室３内に開口１６から進入してコンクリート締固め用バイブレータ１０を案内し得る進入状態Ｐと、コンクリート打設室３内から開口１６まで退避してその開口１６を閉塞する退避状態Ｑとを取り得る。
【０００７】
請求項１の発明にかかるコンクリート締固め用バイブレータシステムでは、コンクリート打設室３内に配設したガイド４がコンクリートの注入後に覆工コンクリートＣの外側に出されるので、ガイド４が覆工コンクリートＣ内に残ることがなくなって次工程でも前工程のガイド４を繰り返し利用することができる。また、ガイド４がコンクリート打設室３に対する蓋（型枠２の一部）としても機能するため、コンクリート打設室３内からのコンクリート漏れを防止することができる。
【０００８】
請求項２の発明にかかるトンネル１の覆工コンクリート用型枠２は、トンネル１の内周壁面１ａとの間で設けたコンクリート打設室３内に開口１６から進入してコンクリート締固め用バイブレータ１０を案内し得る進入状態Ｐと、コンクリート打設室３内から開口１６まで退避してその開口１６を閉塞する退避状態Ｑとを取り得るガイド４を備えている。
【０００９】
請求項２の発明にかかるトンネル１の覆工コンクリート用型枠２では、コンクリート打設室３内に配設したガイド４を次工程でも繰り返し利用することができるとともに、そのガイド４をコンクリート打設室３に対する蓋としても兼用してコンクリート打設室３内からのコンクリート漏れを防止することができる。
【００１０】
請求項３の発明にかかるトンネルの覆工コンクリート締固めは、下記の方法により行われる。
トンネル１内に設置した型枠２とトンネル１の内周壁面１ａとの間に設けたコンクリート打設室３内に型枠２の開口１６から進入させて配設したガイド４に沿ってコンクリート締固め用バイブレータ１０をコンクリート打設室３外から前進向きＸＦへ挿入した後、このコンクリート打設室３内の全部または一部にコンクリートＣを充填する。次に、コンクリート締固め用バイブレータ１０をコンクリート打設室３内からコンクリート打設室３外へ前記コンクリート打設室３内のガイド４に沿って後退向きＸＢへ引き出した後、コンクリート打設室３内でコンクリートＣ内に残ったガイド４を型枠２の開口１６まで退避させてその開口１６をそのガイド４により閉塞する。
【００１１】
請求項３の発明にかかるトンネル１の覆工コンクリート締固め方法では、コンクリート打設室３内に配設したガイド４を次工程でも繰り返し利用することができるとともに、そのガイド４をコンクリート打設室３に対する蓋としても兼用してコンクリート打設室３内からのコンクリート漏れを防止することができる。
【００１２】
請求項１の発明を前提とする第４の発明において、前記コンクリート締固め用バイブレータ１０は、振動体１１に接続した電気ケーブル１３を長尺剛体パイプ１４に挿通してその長尺剛体パイプ１４の基端部から引き出し、この振動体１１をこの長尺剛体パイプ１４の先端部に連結したものである。ちなみに、「剛体」とは、一般的な辞書によると、厳密にはどのような力を加えても形や体積が変化しない理想的な固体（完全剛体）を言うが、ここでは、長尺剛体パイプ１４が金属管であるために外力による変形が非常に少ない物体を言う。第４の発明では、バイブレータ１０において、振動体１１に接続した電気ケーブル１３を挿通する長尺剛体パイプ１４を利用したので、バイブレータ１０の強度を向上させることができる。そのため、バイブレータ１０をコンクリート打設室３外からコンクリート打設室３内に挿入したりコンクリート打設室３内からコンクリート打設室３外へ引き出したりする際、バイブレータ１０の変形を防止し、バイブレータ１０をコンクリート打設室３内でガイド４に沿って円滑に移動させることができる。
【００１３】
請求項２の発明を前提とする第５の発明にかかるガイド４においては、コンクリート打設室３の内側と外側とを区画する区画板１５に対しコンクリート打設室３の内側と外側との間で貫設した開口１６に案内板１８を挿通し、この案内板１８が区画板１５の開口１６に対しコンクリート打設室３の内側と外側とを結ぶ進退方向Ｙへ移動して前記進入状態Ｐと退避状態Ｑとを取り得る。この案内板１８にはバイブレータ１０が通る環状の案内孔１９を設けている。この進入状態Ｐでは、案内板１８が進退方向Ｙへ移動するのを阻止する止め手段２０，２３，２４を設けている。第５の発明も請求項２の発明と同様な効果を奏する。
【発明の効果】
【００１４】
本発明は、コンクリート打設室３内でバイブレータ１０を案内するガイド４の反復利用を可能としてコストの低減を図ることができる。
【発明を実施するための最良の形態】
【００１５】
以下、本発明の一実施形態について図１〜４を参照して説明する。
図１（ａ）（ｂ）（ｃ）（ｄ）及び図２（ａ）に示すように、トンネル１内に設置された型枠２とトンネル１の内周壁面１ａとの間にはアーチ状のコンクリート打設室３が設けられている。このコンクリート打設室３内の天井部分には内周方向の複数箇所（例えば四箇所）で複数の内側ガイド４がトンネル１の長手方向Ｘへ並設されている。なお、型枠２には各内側ガイド４の付近で検査窓２ａが設けられている。
【００１６】
前記コンクリート打設室３の外端部を仕切る型板３ａの付近において内周方向の複数箇所（例えば四箇所）でそれぞれ支持台５が型枠２の内側から外側へトンネル１の長手方向Ｘに沿って延設されている。この各支持台５の中間部分には型板３ａの外側付近からトンネル１の長手方向Ｘに沿って延びる案内レール６が載設されている。この各案内レール６でトンネル１の長手方向Ｘの両側である両端部（型板３ａ側の一端部とその反対側になる他端部）にはガイドローラ台７（外側ガイド）が取り付けられている。この両ガイドローラ台７間で送り機構８が各案内レール６に対しトンネル１の長手方向Ｘへ移動可能に支持されている。この各案内レール６で型板３ａ側の一端部には型板３ａに面する洗浄リング台９（外側ガイド）がガイドローラ台７に隣接して取り付けられている。
【００１７】
図２（ｂ）にも示すように、各バイブレータ１０においては、剛体振動パイプ１２（金属管）を有する振動体１１に接続された電気ケーブル１３が、長尺剛体パイプ１４（金属管）に挿通され、その長尺剛体パイプ１４の基端部から引き出されているとともに、この振動体１１がこの長尺剛体パイプ１４の先端部に連結されている。このバイブレータ１０をコンクリート打設室３内で案内する各内側ガイド４は下記のように改良されている。
【００１８】
図３，４に示すように、前記型枠２においては、コンクリート打設室３の内側と外側とを区画する区画板１５に開口１６がコンクリート打設室３の内側と外側との間で貫設されているとともに、その区画板１５の外側に支持板１７が取着され、図２（ｃ）に示す案内板１８がこの開口１６に挿通されてこの支持板１７に支持されている。この案内板１８において、内端部１８ａ側には円環状の案内孔１９が形成されているとともに、外端部１８ｂ側には止め孔２０が形成され、その案内孔１９と止め孔２０との間で長孔２１が延設されている。この支持板１７に取着された支軸２２がこの案内板１８の長孔２１に係入されてその長孔２１に沿って相対移動することにより、案内板１８が区画板１５の開口１６に対しコンクリート打設室３の内側と外側とを結ぶ進退方向Ｙへ移動し得る。この支持板１７に連結されたチェーン２５にはピン２４が取り付けられている。
【００１９】
図３（ａ）（ｂ）に示す各内側ガイド４の進入状態Ｐでは、案内板１８が進退方向Ｙへ移動してコンクリート打設室３の内側に開口１６から突出しているとともに、支持板１７に形成された止め孔２３にピン２４が挿入されて案内板１８の止め孔２０に係入され、案内板１８が支持板１７に対し進退方向Ｙへ移動するのを阻止している。
【００２０】
図１（ａ）に示すように、コンクリートの打設前に各バイブレータ１０はコンクリート打設室３外で両ガイドローラ台７上と送り機構８と洗浄リング台９内とに挿入される。この各バイブレータ１０をコンクリート打設室３内に前進向きＸＦへ挿入すると、図１（ｂ）に示すように、各バイブレータ１０は型板３ａのシール口部からコンクリート打設室３内に挿入されて各内側ガイド４の案内板１８の案内孔１９に挿入され、各バイブレータ１０の振動体１１がトンネル１の長手方向Ｘでコンクリート打設室３内の最深部に位置する。その後、図１（ｃ）に示すように、このコンクリート打設室３内に覆工コンクリートＣを下部側から天井部分側へ順次充填する。そして、各バイブレータ１０を送り機構８によりコンクリート打設室３内からコンクリート打設室３外へ後退向きＸＢへ引き出すと、バイブレータ１０は、その振動体１１によりコンクリート打設室３内で覆工コンクリートＣの締固めを行いながら、トンネル１の長手方向Ｘに沿って最深部側から入口側へ強制的に送られ、図１（ｄ）に示すように各内側ガイド４の案内板１８の案内孔１９から抜かれた状態となる。
【００２１】
次に、図４（ａ）（ｂ）に示すように、各内側ガイド４において、支持板１７の止め孔２３及び案内板１８の止め孔２０からピン２４を抜くと、案内板１８がその自重で進退方向Ｙへ移動し、支持板１７の支軸２２と案内板１８の長孔２１とが互いに当接したところで停止する退避状態Ｑとなる。この各内側ガイド４の退避状態Ｑでは、案内板１８の内端部１８ａが型枠２の一部である蓋として機能して区画板１５の開口１６を閉塞する。
【図面の簡単な説明】
【００２２】
【図１】（ａ）（ｂ）はそれぞれ本実施形態にかかるバイブレータシステムをトンネルの天井部分に設置してコンクリートの打設を行う前の状態を側面側から見た部分断面図であり、（ｃ）（ｄ）はそれぞれ同じくコンクリートの打設を行った後の状態を側面側から見た部分断面図である。
【図２】（ａ）は本実施形態にかかるトンネルのコンクリート打設室の天井部分を正面側から見た部分断面図であり、（ｂ）はそのコンクリート打設室内に設けた内側ガイドとバイブレータの振動体とを側面側から見た部分拡大断面図であり、（ｃ）はその内側ガイドの案内板を示す斜視図である。
【図３】（ａ）は上記内側ガイドの進入状態を正面側から見た部分断面図であり、（ｂ）は（ａ）のＡ−Ａ線断面図である。
【図４】（ａ）は上記内側ガイドの退避状態を正面側から見た部分断面図であり、（ｂ）は（ａ）のＢ−Ｂ線断面図である。
【符号の説明】
【００２３】
１…トンネル、１ａ…トンネルの内周壁面、２…覆工コンクリート用型枠、３…コンクリート打設室、４…内側ガイド、７…ガイドローラ台（外側ガイド）、９…洗浄リング台（外側ガイド）、１０…コンクリート締固め用バイブレータ、１１…振動体、１３…電気ケーブル、１４…長尺剛体パイプ、１５…区画板、１６…開口、１８…案内板、Ｐ…進入状態、Ｑ…退避状態、Ｙ…進退方向、ＸＦ…前進向き、ＸＢ…後退向き、Ｃ…覆工コンクリート。
【図１】
2006336258.tif 000003
【図２】
2006336258.tif 000004
【図３】
2006336258.tif 000005
【図４】
2006336258.tif 000006